(57)【要約】      （修正有）【課題】フィルタ板の異なる箇所への取り付けを防止すると共に、取り付け直しを可能とするターレット式フィルタ装置。【解決手段】地板１とカバー板２との間にフィルタ室が構成されており、地板１には、光路を規制する開口部１ｂが形成されていて、カバー板２には開口部１ｂと対向するところに開口部２ｂが形成されている。フィルタ室に回転可能に取り付けられている回転部材３には、光路に臨ませることの可能な三つの開口部３ｃ，３ｄ，３ｅが形成されていて、それらのうちの二つの開口部３ｃ，３ｄを個々に覆うようにして、濃度の異なる第１フィルタ板４と第２フィルタ板５が取り付けられている。そして、第１フィルタ板４と第２フィルタ板５は、可撓性を有しており、接着や溶着によらず、且つ回転部材３の板厚内に、好適に取り付けられている。【選択図】図１
2010204201.tif 000002
【特許請求の範囲】
【請求項１】
光路用開口部を有している地板と、前記地板に回転可能に取り付けられていて回転中心から開口部中心までが略同一距離となるようにして少なくとも第１開口部と第２開口部とを有する複数の開口部を形成しており駆動手段に回転させられてそれらの開口部を一つずつ前記光路用開口部に対向させることの可能な板状の回転部材と、前記第１開口部と第２開口部とを個々に覆うようにして前記回転部材に取り付けられている可撓性を有する第１フィルタ板及び第２フィルタ板と、を備えており、前記回転部材は、前記第１開口部と第２開口部の各々の縁に、板厚内において一方の面側に薄く形成された少なくとも一つの第１肉薄部と、前記第１開口部と第２開口部の各々の縁の複数箇所に、板厚内において他方の面側に薄く形成された第２肉薄部とを有しており、前記各フィルタ板は、外周部から突き出ている複数の舌片部を有していて、該舌片部を前記少なくとも一つの第１肉薄部と前記各第２肉薄部との間に挿入して、前記回転部材に取り付けられていることを特徴とする光学機器用フィルタ装置。
【請求項２】
前記回転部材は、前記各第２肉薄部が、前記少なくとも一つの第１肉薄部よりも、前記第１開口部と第２開口部の外周方向外側に形成されており、且つ前記一方の面側が開放されているように形成されていることを特徴とする請求項１に記載の光学機器用フィルタ装置。
【請求項３】
前記第２開口部の縁に形成されている前記少なくとも一つの第１肉薄部と前記各第２肉薄部とは、前記少なくとも一つの肉薄部が前記他方の面側に形成され、前記各第２肉薄部が前記一方の面側に形成されていることを特徴とする請求項１に記載の光学機器用フィルタ装置。
【請求項４】
前記第１フィルタ板に形成されている前記複数の舌片部と、前記第２フィルタ板に形成されている前記複数の舌片部とでは、その形状，大きさ，数，形成箇所のうちの少なくとも一つが異なっていて、前記第１開口部と前記第２開口部の各々の縁に形成されている前記各第２肉薄部も、それらに対応して形成されていることを特徴とする請求項１乃至３のいずれかに記載の光学機器用フィルタ装置。
【請求項５】
前記第１フィルタ板と前記第２フィルタ板との少なくとも一方が、中心を通る線に対して対称にはならない形状をしていることを特徴とする請求項４に記載の光学機器用フィルタ装置。
【発明の詳細な説明】
【技術分野】
【０００１】
本発明は、各種の光学機器に用いられるターレット式のフィルタ装置に関する。
【背景技術】
【０００２】
全体として円形の板状をしていて、同一円周上の異なる角度領域に、各々フィルタ板で覆われた複数の開口部を形成した回転部材を備えており、その回転部材を回転させることによって、所望のフィルタ板を光路に臨ませ得るようにしたターレット式のフィルタ装置が知られている。そして、そのようなフィルタ装置は、観察用，監視用，照明用，測定用，撮像（撮影）用，カラー画像作製用などの各種の光学機器に採用されている。また、最近では、そのようなフィルタ装置に用いられるフィルタ板は、特殊な光学機器に用いられるものを除き、薄くて可撓性を有するものを用いることが多くなってきている。
【０００３】
本発明は、そのように、回転部材に可撓性を有するフィルタ板を取り付けた各種の光学機器用のターレット式フィルタ装置に関するものであるが、下記の特許文献１の第５頁（段落［００１７］）には、そのように構成したフィルタ装置の一例として、回転部材に対して、開口部ごとに濃度の異なるＮＤフィルタ板を取り付けることによって、被写体光の光量を制御できるようにしたカメラ用光量制御装置についての記載がある。そして、特許文献１の第８頁（段落［００３７］）には、ＮＤフィルタ板を取り付ける回転部材は、円形である必要はなく、開口部の数が少ないときは、扇形であっても構わないことが記載されている。
【先行技術文献】
【特許文献】
【０００４】
【特許文献１】特開平１１−２１８７９７号公報
【発明の概要】
【発明が解決しようとする課題】
【０００５】
ところで、主に小型の精密光学機器に採用されるフィルタ装置の場合においては、板状をしている回転部材に対して、例えば回転中心部のような限られた領域以外には、可撓性を有するフィルタ板を取り付けるなどのために、板面から突き出た部位を設けるようにしたり、板面上にフィルタ板を取り付けないようにすることを要求されることがある。そのような場合、従来は、開口部の周囲を肉薄にして凹部を形成し、その凹部内においてフィルタ板を接着したり熱溶したりするのが普通であった。
【０００６】
しかしながら、それらの取り付け方は、フィルタ板と回転部材との熱膨張係数の差異により、環境（温度）変化によっては、フィルタ板が歪むなどして、所定の透過光が得られなくなるという問題点があった。その上、これらの取り付け方は、一旦取り付けてしまうと、フィルタ板の付け直しや交換が殆ど不可能になってしまうという問題点があった。そして、特に、接着剤で取り付ける場合には、接着剤が接着面からはみ出してフィルタ板の有効面に付着しないようにするために細心の注意が必要であったり、接着剤が乾くまでの時間が長すぎるなど、作業効率が極めて悪く、コスト高の要因になっていた。
【０００７】
また、これまでのフィルタ装置においては、回転部材に形成されている複数の開口部の大きさと形状とが略同じであると、異なる種類のフィルタ板を回転部材に取り付けるとき、本来の取り付け箇所とは異なる箇所に取り付けてしまうことがあるという問題点がある。更に、フィルタ板の両面が、異なる状態に仕上げられている場合などには、取り付け箇所は間違わないとしても、裏返しにして取り付けてしまうことがあるという問題点もある。
【０００８】
本発明は、このような問題点を解決するためになされたものであり、その目的とするところは、板状をしている回転部材に対して、複数のフィルタ板を、回転部材に形成されている各々の開口部を覆うようにし、接着や溶着によらず、回転部材の板厚内に好適に取り付けることを可能にした、作業性と低コスト化に優れた光学機器用のターレット式フィルタ装置を提供することである。また、好ましくは、その上に、それらのフィルタ板を、間違った取り付け方をしないようにした光学機器用のターレット式フィルタ装置を提供することである。
【課題を解決するための手段】
【０００９】
上記の目的を達成するために、本発明の光学機器用フィルタ装置は、光路用開口部を有している地板と、前記地板に回転可能に取り付けられていて回転中心から開口部中心までが略同一距離となるようにして少なくとも第１開口部と第２開口部とを有する複数の開口部を形成しており駆動手段に回転させられてそれらの開口部を一つずつ前記光路用開口部に対向させることの可能な板状の回転部材と、前記第１開口部と第２開口部とを個々に覆うようにして前記回転部材に取り付けられている可撓性を有する第１フィルタ板及び第２フィルタ板と、を備えており、前記回転部材は、前記第１開口部と第２開口部の各々の縁に、板厚内において一方の面側に薄く形成された少なくとも一つの第１肉薄部と、前記第１開口部と第２開口部の各々の縁の複数箇所に、板厚内において他方の面側に薄く形成された第２肉薄部とを有しており、前記各フィルタ板は、外周部から突き出ている複数の舌片部を有していて、該舌片部を前記少なくとも一つの第１肉薄部と前記各第２肉薄部との間に挿入して、前記回転部材に取り付けられているようにする。
【００１０】
その場合、前記回転部材は、前記各第２肉薄部が、前記少なくとも一つの第１肉薄部よりも、前記第１開口部と第２開口部の外周方向外側に形成されており、且つ前記一方の面側が開放されているように形成されていると、各フィルタ板を撓ませて、張出部と受け面部の間に、舌片部を挿入させ易くなる。
【００１１】
また、前記第２開口部の縁に形成されている前記少なくとも一つの第１肉薄部と前記各第２肉薄部とは、前記少なくとも一つの肉薄部が前記他方の面側に形成され、前記各第２肉薄部が前記一方の面側に形成されているようにしても、本発明の課題を解決することができる。
【００１２】
また、前記第１フィルタ板に形成されている前記複数の舌片部と、前記第２フィルタ板に形成されている前記複数の舌片部とでは、その形状，大きさ，数，形成箇所のうちの少なくとも一つが異なっていて、前記第１開口部と前記第２開口部の各々の縁に形成されている前記各第２肉薄部も、それらに対応して形成されているようにすると、フィルタ板を間違った箇所に取り付けてしまうことがなくなる。
【００１３】
更に、前記第１フィルタ板と前記第２フィルタ板との少なくとも一方が、中心を通る線に対して対称にはならない形状をしていると、フィルタ板の表裏を間違えて取り付けてしまうことがなくなる。
【発明の効果】
【００１４】
本発明は、少なくとも第１開口部と第２開口部とを有している回転部材には、それらの第１開口部と第２開口部の各々の縁に、少なくとも一つの第１肉薄部を、板厚内において一方の面側に薄く形成し、且つ、それらの第１開口部と第２開口部の各々の縁の複数箇所に、それぞれ第２肉薄部を、板厚内において他方の面側に薄く形成しておき、他方、第１フィルタ板と第２フィルタ板の各々には、外周部に突き出ている複数の舌片部を形成しておくようにして、それらのフィルタ板を取り付けるに際しては、それらのフィルタ板を撓ませて、各々の舌片部を、第１肉薄部と第２肉薄部との間に挿入するようにしたので、回転部材を歪めず両面を常に平坦に保つことが可能になると共に、フィルタ板の取り付け作業が簡単で、低コスト化が可能になるという効果がある。
【図面の簡単な説明】
【００１５】
【図１】実施例の分解斜視図である。
【図２】フィルタ板を取り付けた状態の回転部材を図１に示されているカバー板側から見て示した平面図である。
【図３】図２に示されている状態の回転部材を図２の背面側から見て示した平面図である。
【図４】図２のＡ−Ａ線で切断し矢印方向に見た部分断面図である。
【図５】図２のＢ−Ｂ線で切断し矢印方向に見た部分断面図である。
【図６】図２における第１フィルタ板を単体で示した平面図である。
【図７】図２における第２フィルタ板を単体で示した平面図である。
【図８】フィルタ板の形状の他の一例を示した平面図である。
【図９】フィルタ板の形状のさらに他の一例を示した平面図である。
【発明を実施するための形態】
【００１６】
本発明を実施するための形態を、図示した実施例によって説明する。この実施例は、回転部材に、開口部を三つ形成し、それらのうちの二つを覆うようにして、相互に濃度の異なる二つのＮＤフィルタ板を取り付けることによって、カメラ用の光量制御装置として構成したものである。しかしながら、本発明のフィルタ装置は、カメラ用の光量制御装置として構成したものに限定されず、各種の光学機器に用いるフィルタ装置として構成してもよいことは、上記したとおりである。
【実施例】
【００１７】
本実施例のカメラ用光量制御装置は、図１に示されているように、主に、両者の間にフィルタ室を構成している地板１及びカバー板２と、フィルタ室内において回転可能に取り付けられている回転部材３と、可撓性を有していて回転部材３に取り付けられている第１フィルタ板４及び第２フィルタ板５とによって構成されている。そして、それらの地板１，カバー板２，回転部材３，第１フィルタ板４，第２フィルタ板５は、いずれも合成樹脂製である。
【００１８】
先ず、地板１は、円いお盆の形状をしていて、中央部に軸１ａを立設しており、その軸１ａの側方領域には、円形をした光路用開口部１ｂが形成されている。また、地板１の縁には、六つのねじ穴１ｃ，１ｄ，１ｅ，１ｆ，１ｇ，１ｈが形成されているが、それらのうちの三つのねじ穴１ｄ，１ｆ，１ｈは、図示していない３本のねじによって、本実施例の装置をカメラ本体に取り付けるためのねじ穴である。尚、図２及び図３においては、光路用開口部１ｂの位置を二点鎖線で示してある。
【００１９】
カバー板２は、略円形をしていて、中央部に小さい孔２ａを形成しているほか、その孔２ａを間にして、円形をした二つの開口部２ｂ，２ｃを形成している。また、このカバー板２は、外周部に三つの孔２ｄ，２ｅ，２ｆを形成しており、上記の軸１ａの先端を孔２ａに嵌合させた後、それらの孔２ｄ，２ｅ，２ｆに３本のねじ６，７，８を通し、上記のねじ穴１ｃ，１ｅ，１ｇにねじ込むことによって、地板１に取り付けられている。そして、その取付け状態においては、開口部２ｂが上記の光路用開口部１ｂと対向するようになるが、開口部２ｂの直径は、光路用開口部１ｂの直径よりも大きい。尚、図１においては、光路の中心を一点鎖線で示してある。
【００２０】
本実施例においては、このようにして、相互に取り付けられた地板１とカバー板２は、カバー板２を被写体側にしてカメラ内に配置されるが、地板１を被写体側にして配置しても構わない。また、本実施例は、ユニットとして製作するようにしているため、このような構成をしているが、本発明は、ユニットとして製作するものに限定されない。そのため、ユニットとして製作しない場合には、本実施例の地板１をカメラ本体に固定されている部材とし、後述の回転部材３が上記の軸１ａから抜けないようにすることによって、カバー板２に相当する部材を省くようにすることも可能である。
【００２１】
回転部材３は、円形の板状をしていて、カバー板２側の中央部に歯車部３ａを一体成形しており、その中心に形成した孔３ｂを上記の軸１ａに嵌合させることによって、回転可能に取り付けられている。そして、歯車部３ａには、カバー板２の開口部２ｃに挿入されるカメラ本体側の歯車９が噛合するようになっている。
【００２２】
尚、本実施例においては、この歯車９は、図示していないステッピングモータによって回転させられるが、本発明は、手動で回転させられるようにしても構わない。また、本実施例の歯車部３ａの代りに、回転部材３の外周面を歯車部としても構わない。更に、本実施例では、地板１には軸１ａを立設しているが、地板１には軸１ａを立設せず、回転部材３の回転中心の両面にわたって軸部を設けるようにし、その軸部を地板１とカバー板２が軸受けするようにしてもよい。
【００２３】
この回転部材３には、第１開口部３ｃ，第２開口部３ｄ，第３開口部３ｅが形成されていて、それらのうちの二つの開口部３ｃ，３ｄを個々に覆うようにして、第１フィルタ板４，第２フィルタ板５が取り付けられている。そこで、二つのフィルタ板４，５の構成と、回転部材３に対するそれらの具体的な取付け構成を、主に図２〜図７を用いて説明する。
【００２４】
先ず、図６に示されている第１フィルタ板４と、図７に示されている第２フィルタ板５とは、カバー板２側から見て示したものであるが、それらは、比較的薄くて可撓性を有する略透明な同じ材料（例えば、ＰＥＴ）を用い、同じ厚さに製作されている。そして、それらは、カバー板２側となる面にだけ、ＮＤフィルタ材料を蒸着しているが、第２フィルタ板５の方が、第１フィルタ板４よりも濃度が大きくなるように蒸着されている。
【００２５】
第１フィルタ板４には、外周部から突き出るようにして三つの舌片部４ａ，４ｂ，４ｃが形成されている。それらのうち、舌片部４ａと舌片部４ｂとは全く同じ形状をしているが、舌片部４ｃだけは若干大きい相似形をしている。他方、第２フィルタ板５には、外周部から突き出るようにして四つの舌片部５ａ，５ｂ，５ｃ，５ｄが形成されている。それらのうち、三つの舌片部５ａ，５ｂ，５ｃは全く同じ形状であり、且つ上記の舌片部４ａ，４ｂと同じ形状をしているが、舌片部５ｄだけは若干大きい形状をしていて、上記の舌片部４ｃと同じ形状である。尚、本実施例では、このように、舌片部が、第１フィルタ板４には三つ形成され、第２フィルタ板５には四つ形成されているが、後述の説明からも理解できるように、複数であれば同じ数であっても構わない。
【００２６】
このように、第１フィルタ板４と第２フィルタ板５とは、全体的には形状と大きさが同じであるが、舌片部の数が異なっている。また、図６と図７においては、夫々の中心を通る線を一点鎖線で示しているが、第１フィルタ板４と第２フィルタ板５とでは、舌片部４ｃと舌片部５ｄとの形成位置が一致するだけであって、他の舌片部同士はどれをとっても一致する位置には形成されていない。更に、第１フィルタ板４も第２フィルタ板５も、各々の中心を通るどのような線に対しても対称となる形状をしていない。
【００２７】
次に、回転部材３に形成されている三つの開口部３ｃ．３ｄ，３ｅの周辺部の形状を説明する。先ず、第１開口部３ｃの縁には、回転部材３の板厚内において、カバー板２に対向する側の面（図２における手前側の面）に沿って薄く形成された二つの第１肉薄部３ｆ，３ｇが、開口部３ｃの中心に向けて張り出すようにして弧状に形成されているが、それらの二つの第１肉薄部３ｆ，３ｇは、両者を繋げることによって一つの第１肉薄部となるように形成しても構わないし、第１肉薄部３ｆを、長さ方向の真中で二つのに分けることによって、三つの第１肉薄部となるように形成しても構わない。
【００２８】
また、第１開口部３ｃの縁には、上記の第１肉薄部３ｆよりも外側のところに、回転部材３の板厚内において、地板１に対向する側の面（図３における手前側の面）に沿って薄く二つの第２肉薄部３ｈ，３ｉが形成されている。そして、本実施例の場合、それらの第２肉薄部３ｈ，３ｉは、平面形状が蒲鉾状に形成されていて、図４からも分かるように、カバー板２に対向する面側（図４の右側）が開放状態になっている。
【００２９】
同じようにして、上記のもう一方の第１肉薄部３ｇよりも外側のところに、回転部材３の板厚内において、地板１に対向する面に沿って薄く形成された第２肉薄部３ｊが形成されている。本実施例の場合、その第２肉薄部３ｊは、平面形状が麦藁帽子状に形成されていて、図５からも分かるように、カバー板２に対向する面側（図５の左側）が開放状態になっている。
【００３０】
第２開口部３ｄの縁には、回転部材３の板厚内において、カバー板２に対向する側の面（図２における手前側の面）に沿って薄く形成された二つの第１肉薄部３ｋ，３ｍが、開口部３ｄの中心に向けて張り出すようにして弧状に形成されているが、それらの二つの第１肉薄部３ｋ，３ｍは、両者を繋げることによって一つの第１肉薄部となるように形成しても構わないし、第１肉薄部３ｋ，３ｍの少なくとも一方を、長さ方向の略中間で二つに分けることにより、三つ又は四つの第１肉薄部となるように形成しても構わない。
【００３１】
また、第２開口部３ｄの縁には、第１肉薄部３ｋよりも外側のところに、回転部材３の板厚内において、地板１に対向する側の面（図３における手前側の面）に沿って薄く形成された二つの第２肉薄部３ｎ，３ｐが、上記の第２肉薄部３ｈ，３ｉと同様にして形成されている。また、第１肉薄部３ｍよりも外側のところに、回転部材３の板厚内において、地板１に対向する側の面（図３における手前側の面）に沿って薄く形成された二つの第２肉薄部３ｑ，３ｒが、上記の第２肉薄部３ｊと同様にして形成されている。そして、回転部材３は、第２肉薄部３ｎ，３ｐ，３ｑ，３ｒのカバー板２に対向する面側が開放状態になるように形成されている。尚、第３開口部３ｅは、周辺部に、上記のような第１肉薄部や第２肉薄部が形成されておらず、小判又は樽のような形状をしているだけである。
【００３２】
上記の開口部のうち、第１開口部３ｃと第２開口部３ｄには、夫々、上記の第１フィルタ板４と第２フィルタ板５が、それらの蒸着面をカバー板２側に向けて、地板１側から取り付けられている。そこで先ず、第１フィルタ板４の取り付け方を説明する。最初に、舌片部４ａを、第１肉薄部３ｆと第２肉薄部３ｈの間に挿入し、舌片部４ｂを、第１肉薄部３ｆと第２肉薄部３ｉの間に挿入する。このとき、図４からも理解できるように、舌片部４ａは、図４の左下方から右上方に向けて挿入されるが、本実施例の場合には、第２肉薄部３ｈが、第１肉薄部３ｆよりも外側、即ち図４の上方に形成されていて、第２肉薄部３ｈのカバー板２側、即ち図４の右側が開放されているので、舌片部４ａを撓ませることなく、真っ直ぐに挿入することができる。そして、舌片部４ｂの方も、若干第１フィルタ板４を撓めるようにするものの、略同様にして挿入される。
【００３３】
次に、第１フィルタ板４を大きく撓めることによって、舌片部４ｃを、第１肉薄部３ｇと第２肉薄部３ｊの間に挿入するが、このときにも、図５から理解することができるように、舌片部４ｃは、図５の右上方から左下方に向けて挿入されるから、上記の場合と同様な理由によって、舌片部４ｃを撓ませることなく、真っ直ぐに挿入することができる。そして、舌片部４ｃを挿入していくと、それにしたがって、第１フィルタ板４は自己の復元力によって平板形状に復帰してゆき、図４及び図５に示されているような取付け状態になる。
【００３４】
尚、本実施例の場合には、舌片部４ａ，４ｂを挿入するときよりも、舌片部４ｃを挿入するときの方が、第１フィルタ板４を大きく撓ませて行う分だけ、挿入作業がしにくくなる。そのため、第２肉薄部３ｊの平面形状を、上記したように麦藁帽子状に形成して間口を若干大きくしているが、他の第２肉薄部３ｈ，３ｉに準じて、蒲鉾状に形成しても構わない。いずれにしても、本発明の第２肉薄部の形状は、これらの形状に限定されるものではない。
【００３５】
また、図４及び図５に示されているように、本実施例では、第１フィルタ板４の取付け状態において、舌片部４ａ，４ｂ，４ｃは、第２肉薄部３ｈ，３ｉ，３ｊの対向する面に対して全面的に接触しないようにしているが、第１肉薄部３ｆ，３ｇに対してと同様に、全面的に接触させるようにしてもよい。
【００３６】
また、本実施例の場合、第２肉薄部３ｈ，３ｉ，３ｊのカバー板２側を開放した形状にしているのは、主として上記した理由によるものであるが、このような形状にすると、金型の製作が簡単になるという利点もある。また、第１肉薄部３ｆ，３ｇを、第２肉薄部３ｈ，３ｉ，３ｊと重ねて形成していないことによっても金型の製作が容易になっている。しかしながら、本発明の回転部材は、このような形状に限定されない。例えば、本実施例における回転部材３を、輪切りにした二つの部材を一体化したものとして構成してもよいし、その際、開放部を形成しないようにしてもよいし、第１肉薄部３ｆ，３ｇを、第２肉薄部３ｈ，３ｉ，３ｊと重ねて形成しても構わない。
【００３７】
また、本実施例の場合には、第１肉薄部３ｆ，３ｇを、回転部材３のカバー板２側の面に沿うようにして形成し、第２肉薄部３ｈ，３ｉ，３ｊを、回転部材３の地板１側の面に沿うようにして形成しているが、第１肉薄部３ｆ，３ｇと第２肉薄部３ｈ，３ｉ，３ｊとが相反する面側となるように形成されていれば、少なくとも一方を、回転部材３の面から引っ込めて形成するようにしても構わない。更に、本実施例の場合には、回転部材３を、第１肉薄部３ｆ，３ｇがカバー板２側となるようにして配置しているが、地板１側となるようにして配置しても構わない。そして、ここで、回転部材３の第１肉薄部３ｆ，３ｇと第２肉薄部３ｈ，３ｉ，３ｊの形状について述べたことは、第２フィルタ板５に形成されている第１肉薄部３ｋ，３ｍと第２肉薄部３ｎ，３ｐ，３ｑ，３ｒの形状についても適用される。
【００３８】
ところで、本実施例の場合には、上記のようにして、回転部材３に第１フィルタ板４を取り付けるに際し、第１フィルタ板４を裏返しにしたときには、取り付けることができず、蒸着面が必ずカバー板２側となるようにしている。即ち、上記したように、第１フィルタ板４は、中心を通るどのような線に対しても対称となる形状をしていない。そのため、第１フィルタ板４を裏返しにして、舌片部４ａを第１肉薄部３ｆと第２肉薄部３ｉの間に挿入し、舌片部４ｂを第１肉薄部３ｆと第２肉薄部３ｈの間に挿入してしまった場合には、舌片部４ｃが第１肉薄部３ｇと第２肉薄部３ｊの間に挿入できない。そして、このことは、舌片部４ａ，４ｂよりも、舌片部４ｃの方を先に挿入した場合でも同じである。
【００３９】
次に、第２フィルタ板５の取り付け方を説明するが、その取り付け方は、上記の第１フィルタ板４の場合に準じて行われるので、簡単に説明する。先ず最初に、舌片部５ａを、第１肉薄部３ｋと第２肉薄部３ｎの間に挿入し、舌片部５ｂを、第１肉薄部３ｋと第２肉薄部３ｐの間に挿入する。このとき、第２肉薄部３ｎ，３ｐが、第１肉薄部３ｋよりも第２開口部３ｄの外側に形成されていて、カバー板２側が開放されているので、舌片部５ａ，５ｂは、略真っ直ぐに挿入される。
【００４０】
その後、第２フィルタ板５を大きく撓めることによって、舌片部５ｃを、第１肉薄部３ｍと第２肉薄部３ｑの間に、舌片部５ｄを、第１肉薄部３ｍと第２肉薄部３ｒの間に挿入する。このときにも、第２肉薄部３ｑ，３ｒが、第１肉薄部３ｍよりも第２開口部３ｄの外側に形成されていて、カバー板２側が開放されているので、舌片部５ｃ，５ｄは、略真っ直ぐに挿入されるが、その後、第２フィルタ板５は、自己の復元力によって平板形状に復帰して、取付け状態になる。
【００４１】
そして、この第２フィルタ板５の場合にも、回転部材３に対して、裏返しにしたのでは、取り付けることができないようにしている。それは、第１フィルタ板４の場合と同様に、この第２フィルタ板５の場合にも、中心を通るどのような線に対しても対称となる形状をしていないからである。本実施例においては、第１フィルタ板４と第２フィルタ板５が、このようにして取り付けられているので、回転部材３に対する着脱が容易であり、修理時における交換が可能になっている。
【００４２】
ところで、本実施例の場合には、第１フィルタ板４に、三つの舌片部４ａ，４ｂ，４ｃを形成し、第２フィルタ板５に、四つの舌片部５ａ，５ｂ，５ｃ，５ｄを形成しているが、これは、二つのフィルタ板４，５を回転部材３に取り付けるに際して、相互の取付け箇所を間違えないようにするためである。しかしながら、両者の取付け箇所を間違えないようにするための構成は、このような構成に限定されるものではなく、お互いの舌片部の形状，大きさ，数，形成箇所の少なくとも一つが異なるようにしても得られる。
【００４３】
尚、本実施例では、第１フィルタ板４と第２フィルタ板５を、いずれも、回転部材３に対して、同じ面側から取り付けるようにしているが、本発明は、このような構成に限定されず、例えば、第１フィルタ板４を、カバー板２側から取り付け、第２フィルタ板５を地板１側から取り付ける構成にしても構わない。また、本実施例では、第１開口部３ｃと第２開口部３ｄとを、略同じ大きさで且つ略同じ形状にしているが、本発明は、それらを異なる大きさや異なる形状にしても構わない。そして、それらのようにした場合には、本実施例のように、表裏の取付け間違いや取付け箇所の間違いを考慮した構成にする必要がなくなる。
【００４４】
次に、本実施例の作動を説明する。本実施例のカメラ用光量制御装置は、撮影をしていないときには、図１〜図３に示されているように、第１開口部３ｃが光路内に存在し、被写体光は、第１フィルタ板４を透過する状態になっている。この状態で、カメラのレリーズボタン（スイッチ）を押すと、測光回路の測定結果によって、被写体光の明るさが標準の明るさ範囲にあるときには、このままの状態で撮影される。また、被写体光の明るさが標準の明るさ範囲よりも明るい場合には、回転部材３は、図示していないステッピングモータにより、図１に示されている歯車９を介して、図２において反時計方向へ１２０度回転させられ、第２フィルタ板５を光路に挿入した状態で撮影が行われる。
【００４５】
また、被写体光の明るさが標準の明るさ範囲よりも暗い場合には、回転部材３は、ステッピングモータにより、図２において時計方向へ１２０度回転させられ、フィルタ板４，５を光路に挿入しない状態で撮影が行われる。そして、撮影が終了すると、図１〜図３に示された状態へ復帰させられる。尚、本実施例が、ムービーカメラに採用されている場合には、撮影中における被写体光の変化に対応させて、回転部材３を、１２０度単位でいずれかの方向へ回転させることになる。また、本実施例において、回転部材３の停止位置が、歯車機構のバックラッシュの影響などで不安定となるようであれば、回転部材３の周面の３箇所にノッチを形成するなどして、クリック機構を採用するようにすればよい。
【００４６】
以上のように、本実施例においては、第１フィルタ板４と第２フィルタ板５は、略透明な同じ材料（例えば、ＰＥＴ）の一方の面にだけ、ＮＤフィルタ材料を蒸着して製作されているものとして説明したが、本発明は、それらのフィルタ板４，５を、両面にＮＤフィルタ材料を蒸着して製作したものとしてもよいし、ＮＤフィルタ材料だけで製作したものとしても構わない。そして、そのようにして製作した場合は、本実施例のように、表裏の取り付け間違いは考慮する必要がなく、取付け箇所の間違いについてだけ考慮すればよいことになる。
【００４７】
そこで、そのように構成した場合における、第１フィルタ板４の変形例である第１フィルタ板１０を図８に示し、第２フィルタ板５の変形例である第２フィルタ板１１を図９に示してある。それによれば、それらのフィルタ板１０，１１は、いずれも中心を通る一点鎖線に対して対称な形状をしていて、どちらの面をどちらに向けて取り付けてもよいようになっている。
【００４８】
また、第１フィルタ板１０は、二つの舌片部１０ａ，１０ｂを有していて、第２フィルタ板１１は、三つの舌片部１１ａ，１１ｂ，１１ｃを有している。そのため、当然のことながら、それらの舌片部が挿入される、回転部材３側の第１肉薄部と第２肉薄部の形状も、それらに対応した形状をしている。従って、第１フィルタ板１０と第２フィルタ板１１は、図８と図９の姿勢では、回転部材３に対して取付け可能であっても、上下を逆にした姿勢では取付け不可能になる。
【００４９】
更に、第１フィルタ板１０の舌片部１０ｂと第２フィルタ板１１の舌片部１１ｃとは同じ形状をしているが、第１フィルタ板１０の舌片部１０ａは、第２フィルタ板１１の舌片部１１ａ，１１ｂ用として別々に形成されている２箇所の挿入部には、挿入することができない。また、第２フィルタ板１１の二つの舌片部１１ａ，１１ｂの形成に要している幅方向の寸法が、第１フィルタ板１０の舌片部１０ａの幅寸法より大きいため、舌片部１０ａ用に形成されている挿入部には二つの舌片部１１ａ，１１ｂを挿入することができない。そのため、二つのフィルタ板１０，１１を、取付け箇所を間違えて取り付けてしまうようなことはない。
【００５０】
尚、本実施例の場合には、被写体光の光量を３段階に制御できるようにしているが、４段階に制御できるようにする場合には、フィルタ板で覆われておらずに光路を小さくすることの可能な、第３開口部３ｅよりも小さな第４開口部を設けるか、第１開口部３ｃ，第２開口部３ｄとは大きさが略同じであるが、第１フィルタ板４，第２フィルタ板５とは異なる濃度のフィルタ板で覆うようにした第４開口部を設けることになる。また、本実施例では、回転部材３に、フィルタ板で覆われていない第３開口部３ｅを設けているが、第３開口部３ｅを、第１フィルタ板４，第２フィルタ板５とは異なる濃度のフィルタ板で覆うことにより、本実施例とは異なる３段階制御の光量制御装置にしてもよい。従って、本発明の回転部材は、フィルタ板で覆われた開口部を二つ設けたものに限定されず、三つ以上設けたものでもよい。
【００５１】
更に、既に述べたように、本発明は、回転部材に取り付けられるフィルタ板が、可撓性を有するものでありさえすれば、各種の観察用，監視用，照明用，測定用，撮像（撮影）用，カラー画像作製用などの光学機器に適用可能なものである。また、本発明は、実施例のように、回転部材が円形をしておらず、扇形をしているものであっても差し支えない。
【符号の説明】
【００５２】
１                            地板
１ａ                          軸
１ｂ                          光路用開口部
１ｃ〜１ｈ                    ねじ穴
２                            カバー板
２ａ，２ｄ，２ｅ，２ｆ，３ｂ  孔
２ｂ，２ｃ                    開口部
３                            回転部材
３ａ                          歯車部
３ｃ                          第１開口部
３ｄ                          第２開口部
３ｅ                          第３開口部
３ｆ，３ｇ，３ｋ，３ｍ        第１肉薄部
３ｈ〜３ｊ，３ｎ，３ｐ〜３ｒ  第２肉薄部
４，１０                      第１フィルタ板
４ａ〜４ｃ，５ａ〜５ｄ，１０ａ，１０ｂ，１１ａ〜１１ｃ    舌片部
５，１１                      第２フィルタ板
６，７，８                    ねじ
９                            歯車
【図１】
2010204201.tif 000003
【図２】
2010204201.tif 000004
【図３】
2010204201.tif 000005
【図４】
2010204201.tif 000006
【図５】
2010204201.tif 000007
【図６】
2010204201.tif 000008
【図７】
2010204201.tif 000009
【図８】
2010204201.tif 000010
【図９】
2010204201.tif 000011